(57)【要約】【課題】画像形成装置に複数設けられている覆い部材の固定の解除を鍵を用いて行う際に要する手間の低減を図る。【解決手段】回転部６００が図中時計回り方向に予め定められた第１角度αだけ回転した場合に、第１ソレノイド５１０がオンされる。そしてこの第１ソレノイド５１０のオンによって、進退部材５２０が第１覆い部材４００に設けられた凹部４２０から退避し、第１覆い部材４００の開放が可能となる。そしてこの開放によって、用紙排出空間３２へのアクセスが可能となる。また回転部６００が、ユーザにより図中時計回り方向にさらに回転され、第２角度βだけ回転した場合には、第２ソレノイドがオンされるようになる。そしてこの第２ソレノイドのオンによって、トナー収容容器の取り外しができるようになる。【選択図】図２
2012118370.tif 000002
【特許請求の範囲】
【請求項１】
開閉可能に設けられ、予め定められた箇所を覆う第１の覆い部材と、
開閉可能に設けられ、予め定められた箇所を覆うとともに開放の頻度が前記第１の覆い部材よりも少ない第２の覆い部材と、
前記予め定められた箇所を覆う第１の覆い部材の開放を規制する第１の規制部と、
前記予め定められた箇所を覆う第２の覆い部材の開放を規制する第２の規制部と、
回転可能に設けられ鍵が挿入される挿入部を有し、当該鍵により当該挿入部が第１の位置まで回転した際に前記第１の規制部による前記規制を解除し、当該鍵により当該挿入部が更に回転し第２の位置まで当該挿入部が回転した際に前記第２の規制部による前記規制を解除する解除機構と、
を含む画像形成装置。
【請求項２】
前記第１の覆い部材は、画像形成部により画像が形成された記録材が積載される箇所を覆うことを特徴とする請求項１記載の画像形成装置。
【請求項３】
前記画像形成部は、トナーを用いて記録材に対して前記画像の形成を行い、
前記画像形成部が用いる前記トナーを収容したトナー収容容器が更に設けられ、
前記第２の覆い部材は、前記トナー収容容器を覆うことを特徴とする請求項２記載の画像形成装置。
【請求項４】
前記記録材を収容する記録材収容部を有し、当該記録材収容部に収容された記録材を前記画像形成部に供給する供給手段を更に備え、
前記第２の覆い部材は、前記記録材収容部を覆うことを特徴とする請求項２記載の画像形成装置。
【請求項５】
回転駆動し、前記記録材が積載される箇所に向けて記録材を送り出す送り出し部材を更に備え、
閉じられた状態の前記第１の覆い部材によって前記送り出し部材へのユーザのアクセスが制限されるように当該第１の覆い部材は設けられ、
前記解除機構は、前記鍵により前記挿入部が前記第１の位置まで回転し且つ前記送り出し部材が停止している場合に、前記第１の規制部による前記規制を解除することを特徴とする請求項２乃至４の何れかに記載の画像形成装置。
【発明の詳細な説明】
【技術分野】
【０００１】
本発明は、画像形成装置に関する。
【背景技術】
【０００２】
作像部にて記録した用紙を排出する排紙部を開閉可能に覆うカバーを設けるとともに、カバーを閉鎖位置にてロック可能な鍵を設けたことを特徴とする画像形成装置が提案されている（例えば、特許文献１参照）。
【先行技術文献】
【特許文献】
【０００３】
【特許文献１】特開平８−３３９１０２号公報
【発明の概要】
【発明が解決しようとする課題】
【０００４】
本発明の目的は、画像形成装置に複数設けられている覆い部材の固定の解除を鍵を用いて行う際に要する手間の低減を図ることにある。
【課題を解決するための手段】
【０００５】
請求項１に記載の発明は、開閉可能に設けられ、予め定められた箇所を覆う第１の覆い部材と、開閉可能に設けられ、予め定められた箇所を覆うとともに開放の頻度が前記第１の覆い部材よりも少ない第２の覆い部材と、前記予め定められた箇所を覆う第１の覆い部材の開放を規制する第１の規制部と、前記予め定められた箇所を覆う第２の覆い部材の開放を規制する第２の規制部と、回転可能に設けられ鍵が挿入される挿入部を有し、当該鍵により当該挿入部が第１の位置まで回転した際に前記第１の規制部による前記規制を解除し、当該鍵により当該挿入部が更に回転し第２の位置まで当該挿入部が回転した際に前記第２の規制部による前記規制を解除する解除機構と、を含む画像形成装置である。
【０００６】
請求項２に記載の発明は、前記第１の覆い部材は、画像形成部により画像が形成された記録材が積載される箇所を覆うことを特徴とする請求項１記載の画像形成装置である。
請求項３に記載の発明は、前記画像形成部は、トナーを用いて記録材に対して前記画像の形成を行い、前記画像形成部が用いる前記トナーを収容したトナー収容容器が更に設けられ、前記第２の覆い部材は、前記トナー収容容器を覆うことを特徴とする請求項２記載の画像形成装置である。
請求項４に記載の発明は、前記記録材を収容する記録材収容部を有し、当該記録材収容部に収容された記録材を前記画像形成部に供給する供給手段を更に備え、前記第２の覆い部材は、前記記録材収容部を覆うことを特徴とする請求項２記載の画像形成装置である。
請求項５に記載の発明は、回転駆動し、前記記録材が積載される箇所に向けて記録材を送り出す送り出し部材を更に備え、閉じられた状態の前記第１の覆い部材によって前記送り出し部材へのユーザのアクセスが制限されるように当該第１の覆い部材は設けられ、前記解除機構は、前記鍵により前記挿入部が前記第１の位置まで回転し且つ前記送り出し部材が停止している場合に、前記第１の規制部による前記規制を解除することを特徴とする請求項２乃至４の何れかに記載の画像形成装置である。
【発明の効果】
【０００７】
請求項１の発明によれば、本構成を有していない場合に比較して、画像形成装置に複数設けられている覆い部材の固定の解除を鍵を用いて行う際に要する手間の低減が可能となる。
請求項２の発明によれば、画像が形成された記録材の第三者による持ち出しを抑制することが可能となる。
請求項３の発明によれば、トナーを収容したトナー収容容器の第三者による持ち出しを抑制することが可能となる。
請求項４の発明によれば、画像が形成される前の記録材の第三者による持ち出しを抑制することが可能となる。
請求項５の発明によれば、回転駆動を行っている送り出し部材へのユーザのアクセスを抑制することが可能となる。
【図面の簡単な説明】
【０００８】
【図１】本発明の実施形態に係る画像形成装置の構成を示した図である。
【図２】画像形成装置の外観構成を示した図である。
【図３】図１の矢印ＩＩＩ―ＩＩＩ方向から筐体を眺めた場合の図である。
【発明を実施するための形態】
【０００９】
以下、添付図面を参照して、本発明の実施形態について説明する。
図１は、本発明の実施形態に係る画像形成装置１の構成を示した図である。
同図に示すように、画像形成装置１には、筐体２０が設けられている。また、筐体２０の上部にスキャナ装置３０が設けられるとともに、スキャナ装置３０の上部にはこのスキャナ装置３０に対して原稿を送る原稿送り装置４０が設けられている。
【００１０】
筐体２０は、箱状に形成され、フロント側（手前側）から見て左側に第１側壁２０Ａ、フロント側から見て右側に第２側壁２０Ｂを有している。ここで、第２側壁２０Ｂは、第１側壁２０Ａよりも短く形成されている。また第２側壁２０Ｂは、その上端部が第１側壁２０Ａの上端部よりも下方に位置するように配置されている。さらに、筐体２０には、第２側壁２０Ｂの上端部から左方向（第１側壁２０Ａが設けられている側）に向かって延びるように設けられた上面２０Ｃが形成されている。また、上面２０Ｃの左端部から上方に向かって延びるように設けられ第１側壁２０Ａや第２側壁２０Ｂよりも筐体２０の内側に配置された内壁２０Ｄが設けられている。また本実施形態では、第２側壁２０Ｂとスキャナ装置３０との間に設けられ、スキャナ装置３０を下方から支持する支持板３１が設けられている。
【００１１】
また本実施形態では、筐体２０の背面側に、背面壁２０Ｅが設けられている。ここで本実施形態における画像形成装置１では、スキャナ装置３０、支持板３１、上面２０Ｃ、内壁２０Ｄ、および背面壁２０Ｅにより囲まれた空間３２内に画像が形成された用紙Ｐ（記録材の一例）が順次排出され、上面２０Ｃの上に用紙Ｐが積載されるようになっている。より詳細に説明すると、本実施形態における画像形成装置１では、上面２０Ｃの一部に、図中左方向に進むに従い下る傾斜面２０Ｆが形成されており、空間３２に排出された用紙Ｐは、この傾斜面２０Ｆの上に積載されるようになっている。なお本明細書では、以下、スキャナ装置３０、支持板３１、上面２０Ｃ、内壁２０Ｄ、および背面壁２０Ｅにより囲まれた上記空間３２を、用紙排出空間３２と称する。
【００１２】
また本実施形態では、筐体２０の内部に、用紙Ｐにトナー像を形成する像形成部１００（画像形成部の一例）、像形成部１００に用紙Ｐを供給する給紙装置２００（供給手段の一例）が設けられている。また筐体２０の内部には、用紙Ｐの搬送に用いられる搬送路２５０が設けられている。また筐体２０の内部には、本画像形成装置１の各部、各機構を制御する制御部９００が設けられている。ここで制御部９００は、ＣＰＵ(Central Processing Unit)、ＲＯＭ(Read Only Memory)、およびＲＡＭ(Random Access Memory)を備えている。
【００１３】
像形成部１００は、感光体ドラム２Ｙ，２Ｍ，２Ｃ，２Ｋ、感光体ドラム２Ｙ，２Ｍ，２Ｃ，２Ｋを帯電する帯電装置４Ｙ，４Ｍ，４Ｃ，４Ｋ、帯電装置４Ｙ，４Ｍ，４Ｃ，４Ｋによって帯電された感光体ドラム２Ｙ，２Ｍ，２Ｃ，２Ｋに光を照射して静電潜像を形成する潜像形成装置１０６を有している。また、潜像形成装置１０６によって感光体ドラム２Ｙ，２Ｍ，２Ｃ，２Ｋの表面に形成された静電潜像をトナーを用いて現像し、イエロー、マゼンタ、シアン、黒のトナー像を形成する現像装置１１０Ｙ，１１０Ｍ，１１０Ｃ，１１０Ｋを備えている。
【００１４】
なお本実施形態では、イエロー、マゼンタ、シアン、黒のトナーがそれぞれ収容されたトナー収容容器３００Ｙ，３００Ｍ，３００Ｃ，３００Ｋが設けられており、このトナー収容容器３００Ｙ，３００Ｍ，３００Ｃ，３００Ｋから現像装置１１０Ｙ，１１０Ｍ，１１０Ｃ，１１０Ｋに対して、イエロー、マゼンタ、シアン、黒のトナーが供給されるようになっている。また像形成部１００は、現像装置１１０Ｙ，１１０Ｍ，１１０Ｃ，１１０Ｋによって形成されたイエロー、マゼンタ、シアン、黒のトナー像を用紙Ｐに転写する転写装置１４０、感光体ドラム２Ｙ，２Ｍ，２Ｃ，２Ｋの表面をクリーニングするクリーニング装置（不図示）、転写装置１４０によって用紙Ｐに転写されたトナー像をこの用紙Ｐに定着する定着装置１１６を備えている。
【００１５】
転写装置１４０は、感光体ドラム２Ｙ，２Ｍ，２Ｃ，２Ｋに形成されたイエロー、マゼンタ、シアン、黒のトナー像が重ねられた状態で転写される中間転写ベルト４２を有する。なお中間転写ベルト４２は、支持ロール４６，４８，５０，５２によって回転可能な状態で支持されている。また転写装置１４０は、感光体ドラム２Ｙ，２Ｍ，２Ｃ，２Ｋに形成されたイエロー、マゼンタ、シアン、黒のトナー像を、中間転写ベルト４２に転写する１次転写ロール６Ｙ，６Ｍ，６Ｃ，６Ｋを備えている。また、中間転写ベルト４２に転写されたイエロー、マゼンタ、シアン、黒のトナー像を、用紙Ｐに転写する２次転写ロール５８を有する。また転写装置１４０は、中間転写ベルト４２の表面をクリーニングするクリーニング装置（不図示）を有する。
【００１６】
給紙装置２００は、像形成部１００に対して用紙Ｐを供給する第１給紙部２１０、同じく像形成部１００に対して用紙Ｐを供給する第２給紙部２２０を備えている。ここで、第１給紙部２１０および第２給紙部２２０は、同様に構成されており、第１給紙部２１０および第２給紙部２２０の各々は、用紙Ｐを収納する用紙収納部２０２、用紙収納部２０２に収納された用紙Ｐのうち最上位に位置する用紙Ｐを送り出す送り出しロール２０４、送り出しロール２０４により送り出された用紙Ｐを捌く捌き機構２０６を備える。
【００１７】
ここで捌き機構２０６は、例えば回転可能に配設されるフィードロールと回転が制限されたリタードロールとによって構成され、送り出しロール２０４により送り出された用紙Ｐを一枚ずつに捌く。そして、捌かれた一枚の用紙Ｐを後述するレジストロール２６０に向けて送り出す。ここで用紙収納部２０２は、画像形成装置１のフロント側に引き出すことができるようになっており、フロント側に引き出すことにより用紙Ｐの補充が可能となる。
【００１８】
搬送路２５０は、主搬送路２５２および反転搬送路２５４により構成されている。主搬送路２５２は、給紙装置２００から供給された用紙Ｐを用紙排出空間３２に向けて搬送するための搬送路である。この主搬送路２５２には、用紙Ｐの搬送方向上流側から搬送方向下流側に向かって順に、レジストロール２６０、２次転写ロール５８、定着装置１１６、排出ロール２６２が設けられている。
【００１９】
ここで、レジストロール２６０は、予め定められたタイミングにて回転を聞始し、中間転写ベルト４２と２次転写ロール５８との接触部（２次転写部）に用紙Ｐを供給する。送り出し部材の一例としての排出ロール２６２は、回転駆動し、定着装置１１６によってトナー像が定着された用紙Ｐを用紙排出空間３２に排出する。また排出ロール２６２は、用紙Ｐの両面に画像を形成する場合、用紙排出空間３２に用紙Ｐを排出する際の回転方向とは反対方向に回転を行い、一方の面に画像が形成された用紙Ｐを反転搬送路２５４ヘと送り出す。反転搬送路２５４は、一方の面に画像が形成された用紙Ｐを、レジストロール２６０の上流側に再び供給する場合に用いられる。なお反転搬送路２５４には、反転搬送路２５４に沿って２つの反転搬送ロール２６４が設けられている。
【００２０】
図２は、画像形成装置１の外観構成を示した図である。
上記では説明を省略したが、筐体２０には、画像形成装置１のフロント側に、前面板２０Ｇが設けられている。またこの前面板２０Ｇに取り付けられ、用紙排出空間３２を覆う第１覆い部材４００（第１の覆い部材の一例）が設けられている。なお、この第１覆い部材４００は、ヒンジ４１０を介して前面板２０Ｇに取り付けられており、このヒンジ４１０を中心に回転（揺動）できるようになっている。付言すると、第１覆い部材４００は、筐体２０に対する開閉が可能に設けられている。そして本実施形態では、第１覆い部材４００を開くことで、用紙排出空間３２へのアクセスが可能となっている。
【００２１】
さらに本実施形態では、閉じられた状態にある第１覆い部材４００を固定する固定機構５００が筐体２０の内部に設けられている。この固定機構５００は、第１ソレノイド５１０と、第１ソレノイド５１０によって進退する進退部材５２０とから構成されている。本実施形態では、この進退部材５２０が内壁２０Ｄから突出するとともに、第１覆い部材４００に形成された凹部４２０にこの進退部材５２０が進入することで、第１覆い部材４００が固定されるようになっている。付言すると、第１覆い部材４００に形成された凹部４２０に進退部材５２０が進入することで、第１覆い部材４００の開放が規制されるようになっている。ここで本実施形態における固定機構５００の進退部材５２０は、第１覆い部材４００の開放を規制する第１の規制部として機能している。
【００２２】
なお、第１覆い部材４００の開操作（開放）は、第１ソレノイド５１０が制御部９００によってオンされ、進退部材５２０が凹部４２０から離れる方向に移動することで行うことができるようになる。ここで本実施形態のように、用紙排出空間３２を第１覆い部材４００で覆うとともにこの第１覆い部材４００が固定される場合、用紙排出空間３２へのアクセスが制限されるようになる。そしてこの場合、画像形成を行った者以外の者（第三者）による用紙Ｐの持ち出しが抑制されるようになる。
【００２３】
また本実施形態では、前面板２０Ｇに、鍵穴６１０が形成されこの鍵穴６１０に挿入された鍵（不図示）によって回転が可能となる回転部６００（挿入部の一例）が設けられている。さらに、回転部６００の状態（回転部６００の位相、位置）を検知する検知センサＳが設けられている。なおこの検知センサＳによる検知結果は、制御部９００に出力され、制御部９００によって、上記第１ソレノイド５１０や後述する第２ソレノイド５６０（図３参照）のオン／オフがなされる。ここで、回転部６００、検知センサＳ、制御部９００、第１ソレノイド５１０、第２ソレノイド５６０は、第１覆い部材４００の開放の規制を解除し、第２覆い部材４５０（後述）の開放の規制を解除する解除機構として機能している。
【００２４】
ここで本実施形態では、初期状態にある回転部６００が図中時計回り方向に予め定められた第１角度α（例えば６０°）だけ回転した場合（第１の位置まで回転した場合）に、上記第１ソレノイド５１０がオンされるようになっている。そしてこの第１ソレノイド５１０のオンによって、進退部材５２０が第１覆い部材４００に設けられた凹部４２０から退避し、第１覆い部材４００の開放が可能となる。そしてこの開放によって、用紙排出空間３２へのアクセスが可能となる。
【００２５】
また回転部６００が、ユーザにより図中時計回り方向にさらに回転され、上記初期状態から予め定められた第２角度β（例えば１２０°）だけ回転した場合（第２の位置まで回転した場合）には、後述する第２ソレノイド５６０がオンされるようになる。そしてこの第２ソレノイド５６０のオンによって、トナー収容容器３００Ｙ，３００Ｍ，３００Ｃ，３００Ｋ（図１参照）の取り外しができるようになる（詳細は後述）。
【００２６】
図３は、図１の矢印ＩＩＩ―ＩＩＩ方向から筐体２０を眺めた場合の図である。
上記にて説明したとおり、本実施形態では、イエロー、マゼンタ、シアン、黒のトナーがそれぞれ収容されたトナー収容容器３００Ｙ，３００Ｍ，３００Ｃ，３００Ｋが設けられている。ここで、これらのトナー収容容器３００Ｙ，３００Ｍ，３００Ｃ，３００Ｋは、筐体２０のリア側（画像形成装置１のリア側）に設けられている。また、筐体２０の上面２０Ｃ且つ筐体２０のリア側には、凹部２０Ｈが形成されており、トナー収容容器３００Ｙ，３００Ｍ，３００Ｃ，３００Ｋは、この凹部２０Ｈに収容されている。さらに本実施形態では、凹部２０Ｈに収容されたトナー収容容器３００Ｙ，３００Ｍ，３００Ｃ，３００Ｋを覆う第２覆い部材４５０（第２の覆い部材の一例）が設けられている。
【００２７】
ここで第２覆い部材４５０は、ヒンジ４６０を介して上面２０Ｃに取り付けられ、筐体２０に対する開閉が可能な状態で設けられている。そして本実施形態では、第２覆い部材４５０を開くことで（上方に移動させることで）、トナー収容容器３００Ｙ，３００Ｍ，３００Ｃ，３００Ｋが露出し、トナー収容容器３００Ｙ，３００Ｍ，３００Ｃ，３００Ｋの取り外しが可能な状態となる。また本実施形態では、第２覆い部材４５０を閉じることで、上面２０Ｃの一部およびトナー収容容器３００Ｙ，３００Ｍ，３００Ｃ，３００Ｋが覆われるようになっている。
【００２８】
また本実施形態では、第２覆い部材４５０が閉じられた際に上面２０Ｃと対抗する面であって第２覆い部材４５０の一方の面に、貫通孔４５１が形成された突出部４５２が形成されている。また本実施形態では、筐体２０の上面２０Ｃに、第２覆い部材４５０が閉じられた際に上記突出部４５２が入り込む凹部２０Ｊが形成されている。さらに本実施形態では、凹部２０Ｊ内に突出するとともにこの凹部２０Ｊからの退避が可能に設けられた進退部材５５０、この進退部材５５０を進退させる第２ソレノイド５６０が設けられている。
【００２９】
ここで本実施形態では、突出部４５２に形成された貫通孔４５１に対して進退部材５５０が侵入することで、第２覆い部材４５０が固定されるようになっている。付言すると、突出部４５２に形成された貫通孔４５１に対して進退部材５５０が侵入することで、第２覆い部材４５０の開放が規制されるようになっている。ここで、進退部材５５０は、第２覆い部材４５０の開放を規制する第２の規制部として機能している。
【００３０】
ここで本実施形態では、第２覆い部材４５０の上記固定によって、トナー収容容器３００Ｙ，３００Ｍ，３００Ｃ，３００Ｋの取り外しができないようになる。なお、トナー収容容器３００Ｙ，３００Ｍ，３００Ｃ，３００Ｋの取り外しが行われる際には、第２ソレノイド５６０が制御部９００によってオンされる。これにより、進退部材５５０が貫通孔４５１から退避し、第２覆い部材４５０の固定が解除される。これにより、第２覆い部材４５０の開操作が可能となり、トナー収容容器３００Ｙ，３００Ｍ，３００Ｃ，３００Ｋの取り外しが可能となる。
【００３１】
ここで、ユーザが、トナー収容容器３００Ｙ，３００Ｍ，３００Ｃ，３００Ｋの取り外しを行う場合は、まず、回転部６００を第１角度αだけ回転させ、第１ソレノイド５１０をオンする。これにより第１覆い部材４００の固定が解除される。ついで、第１覆い部材４００の開操作を行う。その後、回転部６００を更に回転させ、上記第２角度βとなる位置まで回転部６００を回転させる。これにより、第２ソレノイド５６０がオンされ、進退部材５５０が貫通孔４５１から退避する。これにより、第２覆い部材４５０の開操作が可能となり、トナー収容容器３００Ｙ，３００Ｍ，３００Ｃ，３００Ｋの取り外しができるようになる。
【００３２】
ここで本実施形態では、上記のとおり、用紙排出空間３２を覆う第１覆い部材４００が設けられているため、第三者による用紙Ｐの持ち出しが抑制されるようになる。また本実施形態では、第１覆い部材４００の奥側に、トナー収容容器３００Ｙ，３００Ｍ，３００Ｃ，３００Ｋが設けられているため、第１覆い部材４００によって、トナー収容容器３００Ｙ，３００Ｍ，３００Ｃ，３００Ｋの持ち出し（盗難）も抑制されるようになっている。さらに本実施形態では、トナー収容容器３００Ｙ，３００Ｍ，３００Ｃ，３００Ｋを覆う第２覆い部材４５０が設けられている。このため、トナー収容容器３００Ｙ，３００Ｍ，３００Ｃ，３００Ｋの持ち出しが更に抑制されるようになっている。
【００３３】
なお上記では説明を省略したが、本実施形態では、回転部６００を上記第２角度βとなる位置まで回転させた際に、第１ソレノイド５１０がオフされる構成となっている。付言すると、回転部６００を上記第１角度αとなる位置まで回転させた際に第１ソレノイド５１０はオンとなるが、回転部６００を第２角度βとなる位置までさらに回転させた際に第１ソレノイド５１０はオフとなる。さらに説明すると、回転部６００を上記第１角度αとなる位置まで回転させた際に第１覆い部材４００の開放（開操作）が可能となるが、回転部６００を第２角度βとなる位置までさらに回転させた際には、第１覆い部材４００が再び固定され、第１覆い部材４００の開放ができなくなる。
【００３４】
このため本実施形態では、トナー収容容器３００Ｙ，３００Ｍ，３００Ｃ，３００Ｋの取り外しを行う場合は、まず、回転部６００を第１角度αだけ回転させ、第１覆い部材４００の開操作を行う必要が生じる。付言すると、回転部６００を第２角度βとなる位置まで回転させた際に第１覆い部材４００が再び固定されるのを防ぐため、回転部６００を第１角度αとなる位置まで一旦回転させ、第１覆い部材４００の開放を行う必要がある。
【００３５】
ここで、回転部６００を上記第２角度βとなる位置まで回転させた際に、第１ソレノイド５１０をオンとする構成とすることもできる。すなわち、回転部６００を第２角度βとなる位置まで回転させた際に第１覆い部材４００が固定されない構成とすることもできる。この場合、第１覆い部材４００の再度の固定を防ぐための第１覆い部材４００の上記開放が不要となり、より簡易にトナー収容容器３００Ｙ，３００Ｍ，３００Ｃ，３００Ｋの取り出しが可能となる。
【００３６】
ところでこの場合、トナー収容容器３００Ｙ，３００Ｍ，３００Ｃ，３００Ｋを取り出す際の手間がかからなくなることから、トナー収容容器３００Ｙ，３００Ｍ，３００Ｃ，３００Ｋの持ち出し（盗難）は行いやすくなってしまう。このため本実施形態では、上記のように、第１覆い部材４００の開放が必要な構成とし、トナー収容容器３００Ｙ，３００Ｍ，３００Ｃ，３００Ｋの持ち出しを行いにくくしている。
【００３７】
なお本実施形態では、第１覆い部材４００の開操作および第２覆い部材４５０の開操作を、一つの鍵穴６１０に対し一つの鍵を挿入することで行うことができるため、複数の鍵を個別に用意しておく場合に比べ、第１覆い部材４００の開操作および第２覆い部材４５０の開操作を行う際の手間がかからなくなる。
【００３８】
なお、第１角度αだけ回転部６００が回転した際に、第２覆い部材４５０の固定を解除し、第２角度βとなる位置まで回転部６００がさらに回転した際に、第１覆い部材４００の固定を解除する処理を行うこともできる。なおこの処理では、第２角度βとなる位置まで回転部６００が回転する際、第２覆い部材４５０の再固定は行われず第２覆い部材４５０の固定が解除された状態が維持される。ところでこの場合、開操作を行う頻度が圧倒的に多い第１覆い部材４００の開操作を行う際の、回転部６００の回転角度が大きいものとなってしまう。このため、本実施形態では、第１角度αだけ回転部６００が回転したときに、使用頻度の多い第１覆い部材４００の固定が解除されるようにし、回転部６００がこの第１角度αよりも大きい第２角度β回転したときに、使用頻度の少ない第２覆い部材４５０の固定が解除されるようにしている。
【００３９】
なお上記では、トナー収容容器３００Ｙ，３００Ｍ，３００Ｃ，３００Ｋを第２覆い部材４５０で覆う場合を一例に説明したが、記録材収容部の一例としての用紙収容部２０２（図１参照）が第２覆い部材４５０により覆われる構成とし、用紙収容部２０２内の用紙Ｐが持ち出されないようにしてもよい。また上記では、第１ソレノイド５１０、第２ソレノイド５６０、制御部９００、およびセンサＳを、電気的に接続し、第１覆い部材４００や第２覆い部材４５０の固定および固定解除を行ったが、回転部６００と進退部材５２０等とをリンクやカムなどで接続することでも、第１覆い部材４００や第２覆い部材４５０の固定および固定解除を行うことができる。
【００４０】
また上記では、回転部６００が第１角度αだけ回転された場合に、一律に、第１覆い部材４００の固定を解除する場合を説明した。ところで、回転部６００が第１角度αだけ回転された場合であっても排出ロール２６２（図１）の回転駆動が行われている場合には、第１覆い部材４００の固定を解除しない構成とすることもできる。
【００４１】
本実施形態では、内壁２０Ｄに形成された開口（不図示）に、排出ロール２６２が設けられており、第１覆い部材４００が開放された場合、回転駆動している排出ロール２６２へのユーザのアクセスが可能となってしまう。このため、排出ロール２６２が回転駆動を行っている最中に、回転部６００が第１角度αだけ回転された場合は、第１覆い部材４００の固定を解除しない構成とすることが好ましくなる。なおこの場合、用紙Ｐの用紙排出空間３２への排出が終了し排出ロール２６２の回転が終了した後に（停止した後に）、第１覆い部材４００の固定を解除する。
【符号の説明】
【００４２】
１…画像形成装置、２００…給紙装置、２０２…用紙収容部、２６２…排出ロール、３００Ｙ，３００Ｍ，３００Ｃ，３００Ｋ…トナー収容容器、４００…第１覆い部材、４５０…第２覆い部材、５１０…第１ソレノイド、５２０…進退部材、５５０…進退部材、５６０…第２ソレノイド、６００…回転部、９００…制御部、Ｓ…検知センサ
【図１】
2012118370.tif 000003
【図２】
2012118370.tif 000004
【図３】
2012118370.tif 000005